(57)【特許請求の範囲】
【請求項１】
実際の車両の横加加速度及びロールレートに基づいて算出された伝達特性である実測伝達特性と、前記車両の運動特性を表現する車両モデルに基づいて算出された伝達特性である解析伝達特性とを比較して、前記車両の重心高を推定する重心高演算部を備えることを特徴とする重心高推定装置。
【請求項２】
前記実際の車両の横加加速度及びロールレートとは異なる他のパラメータに基づいて算出された伝達特性である他の実測伝達特性を用いて、前記重心高演算部によって推定された前記重心高を検定する重心高検定部を更に備えることを特徴とする請求項１記載の重心高推定装置。
【請求項３】
前記重心高検定部は、前記他のパラメータとして、前記実際の車両の横加速度及びヨーレートに基づいて算出された前記他の実測伝達特性を用いて、前記重心高を検定することを特徴とする請求項２記載の重心高推定装置。
【請求項４】
前記重心高が推定されたことによって推定可能となったパラメータを算出するパラメータ推定部を更に備えることを特徴とする請求項１〜３の何れか一項に記載の重心高推定装置。
【請求項５】
前記パラメータ推定部は、前記推定可能となったパラメータとして、タイヤのコーナリングパワーを算出することを特徴とする請求項４記載の重心高推定装置。
【請求項６】
請求項１〜５の何れか一項に記載の重心高推定装置と、
前記重心高推定装置の前記重心高演算部によって推定された前記重心高を用いて、車両の挙動制御を行う制御部と、備えることを特徴とする車両挙動制御装置。
【発明の詳細な説明】
【技術分野】
【０００１】
本発明は、重心高推定装置、及びこれを備えた車両挙動制御装置に関するものである。
【背景技術】
【０００２】
従来、この分野の技術として、車両走行中に運転者が入力する操舵角に対するロールを含む自由度を持つ力学モデルの伝達関数と、実車によって採取されたデータに基づいて算出される操舵角に対するロールの伝達関数とを比較して、車両の重心高さを推定するものがある（例えば、特許文献１参照）。
【０００３】
この特許文献１に記載の車両の重心高さの推定演算装置では、下記式（１）の伝達関数を用いて、重心高さｈｓを推定している（ただし、Ｋｆ：前輪のコーナリングパワー、Ｋｒ：後輪のコーナリングパワー、Ｍｓ：バネ上重量、Ｍｕ：バネ下重量、Ｋｆａｉ：ロール剛性、Ｉ：ヨーイングモーメント、Ｖ：車速）。
【数１】
0005088198.tif 000002
【特許文献１】特開平１１−３０４６６３号公報
【発明の開示】
【発明が解決しようとする課題】
【０００４】
操舵に対する車両の応答は、テストコースのような限られた路面では、一定であるが、路面状況、タイヤ特性が変化した場合には、誤差が大きくなるという問題がある。
【０００５】
上記特許文献１の技術では、上記式（１）によって表現された伝達関数を用いて、タイヤ特性・重心位置など重心高さと共に変化するパラメータ（変数）を固定値としてそのまま用いて推定するため、最終的な推定結果に誤差が生じるという問題がある。
【０００６】
本発明は、このような課題を解決するために成されたものであり、重心高の推定精度の向上が図られた重心高推定装置、及びこれを備えた車両挙動制御装置を提供することを目的とする。
【課題を解決するための手段】
【０００７】
本発明による重心高推定装置は、実際の車両の横加加速度及びロールレートに基づいて算出された伝達特性である実測伝達特性と、車両の運動特性を表現する車両モデルに基づいて算出された伝達特性である解析伝達特性とを比較して、車両の重心高を推定する重心高演算部を備えることを特徴としている。
【０００８】
また、本発明による車両挙動制御装置は、上記の重心高推定装置と、当該重心高推定装置の重心高演算部によって推定された重心高を用いて、車両の挙動制御を行う制御部と、備えることを特徴としている。
【０００９】
このような重心高推定装置、及びこれを備えた車両挙動制御装置によれば、実際の車両の横加加速度及びロールレートに基づいて算出された伝達特性である実測伝達特性と、車両の運動特性を表現した車両モデルに基づいて算出された伝達特性である解析伝達特性とを比較して、車両の重心高を推定する重心高演算部を備えているため、路面状況、タイヤ特性の違いなどの外的要因に左右されない伝達特性を定義することで、重心高の推定精度の向上が図られる。また、重心高推定装置を備えた車両挙動制御装置では、推定精度が向上された重心高を用いて、制御精度の向上を図ることができる。
【００１０】
ここで、実際の車両の横加加速度及びロールレートとは異なる他のパラメータに基づいて算出された伝達特性である他の実測伝達特性を用いて、重心高演算部によって推定された重心高を検定する重心高検定部を更に備えることが好ましい。他のパラメータとして、実際の車両の横加速度及びヨーレートが挙げられる。
【００１１】
また、重心高が推定されたことによって推定可能となったパラメータを算出するパラメータ推定部を更に備える構成としてもよい。これにより、路面状況、タイヤ状況など、重心高とともに変化するパラメータ（例えば、タイヤのコーナリングパワー（タイヤＣＰ）、タイヤ特性、重心位置など）を推定することが可能となる。
【発明の効果】
【００１２】
本発明によれば、重心高の推定精度の向上が図られた重心高推定装置、及びこれを備えた車両挙動制御装置を提供することができる。
【発明を実施するための最良の形態】
【００１３】
以下、本発明の好適な実施形態について図面を参照しながら説明する。なお、図面の説明において同一または相当要素には同一の符号を付し、重複する説明は省略する。図１は、本発明の第１実施形態に係る重心高推定装置のブロック図である。
【００１４】
本実施形態に係る重心高推定装置は、実際に測定された実測データに基づいて算出された伝達特性である実測伝達特性と、車両の運動特性が表現された車両モデルに基づいて算出された伝達特性である解析伝達特性とを比較して車両の重心高を推定するものである。
【００１５】
重心高推定装置では、図１に示すように、運転操作によって変化する実際の車両の横加速度、ロールレートなどのパラメータを取得し、取得されたロールレート及び横加速度に基づいて、ロールレートＲＲ／横加加速度ＬＪの伝達特性（実測伝達特性）を算出すると共に、車両モデルから導出されたロールレート及び横加速度に基づいて、ロールレートＲＲ／横加加速度ＬＪの伝達特性（解析伝達特性）を算出する。そして、これらの実測伝達特性と解析伝達特性とを比較して、車両の重心高を推定する。また推定された重心高に基づいて、ロール剛性、ロール慣性モーメント、ロール減衰力を算出する。
【００１６】
図２は、本発明の第１実施形態に係る重心高推定装置の概略構成図である。重心高推定装置１は、自車両の加速度を計測する加速度センサ２、自車両のロールレートを計測するロールレートセンサ３、ステアリング操作した時の操舵方向及び操舵角度を計測するステアリングセンサ４、車両のその他のデータを取得する各種センサ５、車両の重心高を推定する電子制御ユニット（以下、「ＥＣＵ」という）６を備えている。ＥＣＵ６は、これらのセンサ２〜５と電気的に接続され、センサ２〜５から各種信号を受信して、加速度、ロールレート、操舵方向、操舵角度、その他の値を算出する。
【００１７】
また、重心高推定装置１は、ＧＰＳ測位データを受信するＧＰＳ受信機７を備えている。ＥＣＵ６は、ＧＰＳ受信機７と電気的に接続され、ＧＰＳ受信機７によって受信したＧＰＳ測位データに基づいて、自車両の走行軌跡を作成する。ＥＣＵ６は、この走行軌跡に基づいて、センサ２〜５の精度向上及びゼロ点調整を行う。例えば、走行軌跡によると直線走行しているにも関わらず、加速度センサ２によって横加速度が検出された場合には、センサのゼロ点調整を行う。
【００１８】
ＥＣＵ６は、演算処理を行うＣＰＵ、記憶部となるＲＯＭ及びＲＡＭ、入力信号回路、出力信号回路、電源回路などにより構成されている。このＥＣＵ６では、記憶部に記憶されたプログラムを実行することで、実測伝達特性算出部８、解析伝達特性算出部９、比較部１０が構築され、重心高が推定される。また、ＥＣＵ６の記憶部には、車両の運動モデルに関するデータなどが記憶されている。
【００１９】
ＥＣＵ６では、下記式（２）によって表現される横加加速度（ＬＪ）のロールレート（ＲＲ）への伝達特性を用いて、重心高ｈｓを推定する（ただし、ＲＲ：ロールレート、ＬＪ：横加加速度、ｍ：車両重量、Ｉx：ロール慣性モーメント、Ｃx：ロール減衰力、Ｋx：ロール剛性）。
【数２】
0005088198.tif 000003
【００２０】
横加加速度ＬＪは、横加速度を微分して算出することができる。車両重量ｍは、各種センサ５によって計測された値に基づいて、算出することができる。例えば、特開２００７号公報に記載の技術を用いて、駆動力源の出力したエネルギを検出すると共に、車速の変化量を検出し、検出された駆動力源の出力エネルギ及び車速の変化量に基づいて、車両重量ｍを算出することができる。また、ロール減衰力Ｃｘ、ロール剛性Ｋｘは、車両のサスペンションの特性から求めることができる。
【００２１】
実測伝達特性算出部８は、センサ２〜５によって計測されたデータに基づいて、上記式（２）を適用し、各パラメータ違いの伝達特性（周波数応答）を算出する。
【００２２】
解析伝達特性算出部９は、車両の運動モデルに基づいて、上記式（２）を適用し、各パラメータ違いの伝達特性を算出する。図３は、各パラメータ違いの伝達特性（周波数応答）の一例を示すグラフである。図３では、横軸に周波数ｗ、縦軸にゲイン（ＲＲ／ＬＪ）を示し、基準Ｌ１、重心高違いＬ２、ヨー慣性モーメント違いＬ３、ロール減衰違いＬ４、ロール剛性違いＬ５を各々示している。
【００２３】
図３では、重心高違いＬ２及びヨー慣性モーメント違いＬ３のピークは、基準Ｌ１のピークより高く、ロール減衰違いＬ４及びロール剛性違いＬ５のピークは、基準Ｌ１のピークより低くなっている。また、ロール減衰違いＬ４がピークとなる周波数ｗは、基準Ｌ１がピークとなる周波数より大きい値となっている。
【００２４】
因みに、既存の方法では、タイヤＣＰの違いや、ヨー慣性モーメントの違いによる差は、重心高など推定したいパラメータに変化が無い場合においても、後述する図６程度の違いが生じる。そのためタイヤＣＰの値等を固定値として式に代入している従来技術では、この違いを吸収することができないため、推定されるパラメータの誤差が大きくなるという問題があった。
【００２５】
比較部１０は、実測伝達特性算出部８によって算出された伝達特性と、解析伝達特性算出部９によって算出された伝達特性とを比較することにより重心高ｈｓを推定する。この比較部１０では、実測伝達特性と解析伝達特性とが一致した場合の値に基づいて、重心高ｈｓを推定する。
【００２６】
このような重心高推定装置１では、取得した実際の車両挙動を伝達特性に変換すると共に、車両モデルから求まる伝達特性のパラメータを、車両挙動から得たものに合わせ込む。重心高推定装置１では、車両の運動のうち、重心高によって変化する車両挙動の伝達特性について、測定値から逆算される伝達特性と車両モデルから導かれる伝達特性と比較することで重心高を推定することができる。
【００２７】
ここで、重心高推定装置１では、車両挙動の伝達特性が、例えば横加加速度（ＬＪ）のロールレート（ＲＲ）への伝達特性（上記式（２））など、タイヤ特性・路面状況によって変動するパラメータを含まない伝達特性を構成することにより、路面やタイヤ違いなどの外的要因に左右されない伝達特性が定義されている。そして、車両の運動から実測における伝達特性が求まり、車両モデルから求まる伝達特性と比較することにより、重心高ｈｓ、ロール剛性Ｋｘ、ロール減衰Ｃｘ、ロール慣性モーメントＩｘが精度良く算出される。
【００２８】
次に、本発明の第２実施形態に係る重心高推定装置を備えた車両挙動制御装置について説明する。図４は、本発明の第２実施形態に係る重心高推定装置を備えた車両挙動制御装置の概略構成図、図５は、本発明の第２実施形態に係る重心高推定装置のブロック図である。なお、第１実施形態と同一または相当要素には同一の符号を付し、重複する説明は省略する。
【００２９】
第２実施形態に係る重心高推定装置１１は、図４に示すように、加速度センサ２、ロールレート３、ステアリングセンサ４、各種センサ（ヨーレートセンサ）５、ＧＰＳ受信機７、ＥＣＵ１６を備えている。ＥＣＵ１６は、これらのセンサ２〜５と電気的に接続され、センサ２〜５から各種信号を受信して、加速度、ロールレート、操舵方向、操舵角度、ヨーレート、その他の値を算出する。
【００３０】
ＥＣＵ１６は、演算処理を行うＣＰＵ、記憶部となるＲＯＭ及びＲＡＭ、入力信号回路、出力信号回路、電源回路などにより構成されている。このＥＣＵ１６では、記憶部に記憶されたプログラムを実行することで、実測伝達特性算出部８、解析伝達特性算出部９、比較部１０が構築され、重心高が推定される。また、ＥＣＵ６の記憶部には、車両の運動モデルに関するデータなどが記憶されている。
【００３１】
さらに、ＥＣＵ１６では、検定部１２、パラメータ推定部１３が構築されている。検定部１２は、比較部１０によって取得した重心高などのパラメータの確かさを、比較部１０でパラメータを推定する際に用いた以外の伝達特性に基づいて確認する。
【００３２】
具体的には、検定部１２では、比較部１０によって取得したパラメータを用いて、車両モデルの他の伝達特性（例えばＹＲ／ＬＡ（ヨーレート／横加速度））を計算し、実車によって取得されたパラメータを用いた他の伝達特性（ＹＲ／ＬＡ）と比較することにより、比較部１０によって取得したパラメータの精度を確認する。
【００３３】
図６は、各パラメータ違いの伝達特性（周波数応答）の一例を示すグラフである。図６では、横軸に周波数ｗ、縦軸にゲイン（ＲＲ／ＭＡ）を示している（ただし、ＲＲ：ロールレート、ＭＡ：操舵角度）。また、図６では、図３と同様に、基準、重心高違い、ヨー慣性モーメント違い、ロール減衰違い、ロール剛性違いなど、各パラメータ違いの伝達特性を示している。
【００３４】
パラメータ推定部１３は、比較部１０によって取得した重心高などのパラメータに基づいて、他のパラメータを推定する。パラメータ推定部１３では、検定部１２によって精度が確認されたパラメータを用いて、路面状況、タイヤ状況（タイヤと路面との摩擦係数）など、重心高とともに変化する他のパラメータ（例えば、タイヤＣＰ）を推定する。
【００３５】
また、第２実施形態に係る重心高推定装置１１を備えた車両挙動制御装置は、重心高推定装置１１によって推定された重心高、その他のパラメータに基づいて、車両挙動を制御する車両挙動制御部１７を有している。この車両挙動制御部１７は、例えば、ブレーキＥＣＵ１８、エンジンＥＣＵ１９、操舵ＥＣＵ２０などによって構成され、各ＥＣＵ１６，１８，１９，２０は、例えばＣＡＮ（Control Area Network）等の通信回路で接続されることにより、相互にデータ交換が可能な構成とされている。
【００３６】
車両挙動制御部１７では、重心高推定装置１１によって取得した重心高、その他のパラメータを用いて、車両挙動の制御機能（例えばＡＢＳ：Antilock Brake System、ＶＳＣ：Vehicle Stability Control、ＥＳＣ：ElectronicStability Control、ＶＤＩＭ：Vehicle Dynamics Integrated Management）における制御側を変更する。
【００３７】
次に、第２実施形態に係る重心高推定装置１１を備えた車両挙動制御装置の動作手順について説明する。図５に示すように、重心高推定装置１１では、センサ２〜５からの信号に基づいて各種パラメータ（ヨーレートＹＲ、横加速度ＬＡ、横加加速度ＬＪ、ロールレートＲＲ）を取得する（Ｓ１）。
【００３８】
次に、ＥＣＵ１６は、取得した車両挙動に関するパラメータを伝達特性に変換する（Ｓ２）。実測伝達特性算出部８では、取得された横加加速度ＬＪ及びロールレートＲＲを用いて、式（２）によって表現された伝達特性ＲＲ／ＬＪを算出する。
【００３９】
続いて、ＥＣＵ１６は、車両モデルから求められた伝達特性ＲＲ／ＬＪのパラメータを、車両挙動から得た伝達特性ＲＲ／ＬＪに合わせ込みを行う（Ｓ３）。比較部１０では、実測値から逆算される伝達特性ＲＲ／ＬＪと車両モデルから導かれる伝達特性ＲＲ／ＬＪとを比較することで重心高などのパラメータを推定する。
【００４０】
次に、ＥＣＵ１６は、ステップ３で推定されたパラメータの確かさ（精度）を、ステップ３で用いて伝達特性ＲＲ／ＬＪ以外の他の伝達特性を用いて確認する（Ｓ４）。検定部１２では、ステップ３で推定されたパラメータを用いて、車両モデルの他の伝達特性（例えばＹＲ／ＬＪ）を計算し、実車の伝達特性と比較することにより、ステップ３で求めたパラメータの精度を確認する。
【００４１】
続いて、ＥＣＵ１６は、ステップ４で精度が確認された重心高などのパラメータを用いて、車両モデルの修正を行う（Ｓ５）。
【００４２】
次に、ＥＣＵ１６は、ステップ５で修正された推定後の車両モデルに基づいて計算されたヨーレートと、実車測定されたヨーレートとを比較して、例えはタイヤＣＰなど、重心高が推定された後に推定可能なパラメータを推定する（Ｓ６）。パラメー推定部１３では、
路面状況、タイヤ状況など重心高と共に変化するパラメータ（タイヤＣＰ）を推定する。
【００４３】
次に、挙動制御部１７は、推定された重心高、及びこの重心高に基づいて推定されたタイヤＣＰ等のパラメータに従い、挙動制御（車両運動制御システム）における制御則の最適化を行う（Ｓ７）。また、推定されたパラメータの精度に応じて、制御則を変更してもよい。例えば、パラメータの精度が低い場合には、パラメータの精度が高い場合と比較して、安全側に制御する、或いは、推定されたパラメータによる制御則の変更を禁止してもよい。そして、ブレーキＥＣＵ１８、エンジンＥＣＵ１９、操舵ＥＣＵ２０は、各車輪毎のブレーキ制御、エンジンのトラクション制御、操舵量制御等を行い、車両運動の最適化を行う。
【００４４】
このような重心高推定装置１１では、タイヤ特性や車両の前後方向の重心位置の影響を排除して、重心高を推定することができる。これにより、路面違い、タイヤ違いなど条件が変化した場合であっても精度良く重心高を推定することが可能となる。また、このように推定された重心高などのパラメータを利用して、車両運動制御における制御則を変更することで、車両運動の最適化が図られる。
【００４５】
以上、本発明をその実施形態に基づき具体的に説明したが、本発明は、上記実施形態に限定されるものではない。上記実施形態では、上記式（２）によって表現された伝達特性を用いているが、横加加速度及びロールレートに基づいて算出されたその他の伝達特性を用いて、重心高を推定してもよい。
【図面の簡単な説明】
【００４６】
【図１】本発明の第１実施形態に係る重心高推定装置の概要を説明するためのブロック図である。
【図２】本発明の第１実施形態に係る重心高推定装置の概略構成図である。
【図３】各パラメータ違いの伝達特性（ＲＲ／ＬＪ）の一例を示すグラフである。
【図４】本発明の第２実施形態に係る重心高推定装置を備えた車両挙動制御装置の概略構成図である。
【図５】本発明の第２実施形態に係る重心高推定装置の概要を説明するためのブロックである。
【図６】各パラメータ違いの伝達特性（ＲＲ／ＭＡ）の一例を示すグラフである。
【符号の説明】
【００４７】
１，１１…重心高推定装置、６，１６…ＥＣＵ（重心高演算部）、１７…挙動制御部、ＬＪ…横加加速度、ＲＲ…ロールレート。
【図１】
0005088198.tif 000004
【図２】
0005088198.tif 000005
【図３】
0005088198.tif 000006
【図４】
0005088198.tif 000007
【図５】
0005088198.tif 000008
【図６】
0005088198.tif 000009